(57)【要約】【課題】電子カメラが取り付けられる携帯型情報処理装置、例えば、携帯型パーソナルコンピュータにおいて、装置の携帯性及び操作性を維持し、取り付ける手間がかからないで且つ設置スペースを取らないようにした取付構造を提供する。【解決手段】携帯型情報処理装置は、ディスプレイ部と、操作部とを備えた携帯型情報処理装置であって、上記ディスプレイ部が設けられた上パネルと、上記操作部が設けられた下パネルと、上記上パネルの上方の略中央部に設けられた電子カメラと、  上記電子カメラの側面をそれぞれ支持する第一の支持部材および第二の支持部材を有し、上記上パネルの正面と背面との間の所定の範囲内を回動可能となるように上記電子カメラを保持する取付凹部とからなり、上記取付凹部は、上記電子カメラを収容するための取付溝を形成することである。【選択図】図１
2006262534.tif 000002
【特許請求の範囲】
【請求項１】
ディスプレイ部と、操作部とを備えた携帯型情報処理装置であって、
上記ディスプレイ部が設けられた上パネルと、
上記操作部が設けられた下パネルと、
上記上パネルの上方の略中央部に設けられた電子カメラと、
上記電子カメラの側面をそれぞれ支持する第一の支持部材および第二の支持部材を有し、上記上パネルの正面と背面との間の所定の範囲内を回動可能となるように上記電子カメラを保持する取付凹部とからなり、
上記取付凹部は、上記電子カメラを収容するための取付溝を形成すること
を特徴とする携帯型情報処理装置。
【請求項２】
上記第一の支持部材及び第二の支持部材は、上記ディスプレイ部の上辺と平行する方向に沿って設けられていることを特徴とする請求項１に記載の携帯型情報処理装置。
【請求項３】
上記電子カメラは、少なくともレンズと、撮像素子と、上記撮像素子から得られる画像データを出力するケーブルとからなることを特徴とする請求項１に記載の携帯型情報処理装置。
【請求項４】
上記電子カメラは更に、上記取付凹部に設けられたコネクタと接続されるコネクタを上記ケーブルの一端に有し、上記電子カメラを着脱自在に取り付けられるようにしたことを特徴とする請求項３に記載の携帯型情報処理装置。
【請求項５】
上記取付凹部は上記電子カメラの光軸が上記上パネルの正面に垂直となる状態において、上記電子カメラの正面と上記上パネルの正面とが略面一となる位置に上記電子カメラを保持することを特徴とする請求項１に記載の携帯型情報処理装置。
【請求項６】
上記上パネルは、上記下パネルに回動可能に取り付けられ、上記上パネルと上記下パネルとが開閉自在な構造であることを特徴とする請求項１に記載の携帯型情報処理装置。
【発明の詳細な説明】
【技術分野】
【０００１】
本発明は、携帯型情報処理装置（以下、携帯型パーソナルコンピュータという）に関し、特にＣＣＤカメラをパーソナルコンピュータに取り付ける際の取付構造に関する。
【背景技術】
【０００２】
情報処理装置、例えばパーソナルコンピュータに画像を取り込む撮像装置として図１４に示すように、ケーブルによってデスクトップ型のパーソナルコンピュータに接続可能なＣＣＤカメラが知られている。
【０００３】
即ち、デスクトップ型のパーソナルコンピュータ１は、図１４に示すように、本体２と、グラフィック及び文字等を画面上に表示するディスプレイ３と、本体２に接続され、入力操作を行うキーボード４とから構成されている。
【０００４】
本体２の内部には、図示していない外部機器と接続する拡張スロットが用意されており、ＣＣＤカメラ５との間で信号の入出力を行うインターフェイス回路が設けられた基板を拡張スロットに挿入することにより、撮像の制御及び撮像された画像データの入力が行われる。
【０００５】
一方、ＣＣＤカメラ５は、図１４に示すように、卓上型の構造を有しており、レンズ筒６が向けられた方向の画像を撮像できるようになっている。ＣＣＤカメラ５がディスプレイ３の上に配置された時には、パーソナルコンピュータ１の利用者の上半身程度を撮像できるようになされている。このようなＣＣＤカメラ５を用いることにより、コンピュータネットワークで接続された他のパーソナルコンピュータの利用者の画像を見ることができる。図１４では省略したがマイクロフォンをパーソナルコンピュータ１に接続し、音声もコンピュータネットワークを介して伝送することで、パーソナルコンピュータの前に座ったままで会話を行うことができる。
【０００６】
また最近のＣＰＵの性能の向上により、携帯型のパーソナルコンピュータにおいても、画像データを扱えるようになり、携帯型パーソナルコンピュータでも画像データの取り込みができることが要望されている。
【発明の開示】
【発明が解決しようとする課題】
【０００７】
しかしながら、従来のパーソナルコンピュータに接続可能な撮像装置では、図１４に示すように撮像範囲はレンズ筒６が向けられた方向だけに限られていたため、所望の被写体を撮像する際には、撮像装置を設置する場所の制約を受けることになり、不便であった。
【０００８】
また、例えば携帯型のパーソナルコンピュータを使って、屋外で画像の取り込みを行いたい時には、携帯型のパーソナルコンピュータ自身の他にケーブルとＣＣＤカメラ５を持ち運ばなければならず、携帯性が悪かった。
【０００９】
従って、本発明は、携帯性及び操作性に優れ、かつ撮像装置の設置スペースをとらないで撮像範囲を確保することができる携帯型情報処理装置に課題を有する。
【００１０】
【特許文献１】特開平６−７０３１４号公報（第４頁、第１５図）
【課題を解決するための手段】
【００１１】
上記課題を解決するために、本発明に係る携帯型情報処理装置は、次に示す構成にすることである。
（１）携帯型情報処理装置は、ディスプレイ部と、操作部とを備えた携帯型情報処理装置であって、上記ディスプレイ部が設けられた上パネルと、上記操作部が設けられた下パネルと、上記上パネルの上方の略中央部に設けられた電子カメラと、上記電子カメラの側面をそれぞれ支持する第一の支持部材および第二の支持部材を有し、上記上パネルの正面と背面との間の所定の範囲内を回動可能となるように上記電子カメラを保持する取付凹部とからなり、上記取付凹部は、上記電子カメラを収容するための取付溝を形成することである。
（２）上記第一の支持部材及び第二の支持部材は、上記ディスプレイ部の上辺と平行する方向に沿って設けられていることを特徴とする（１）に記載の携帯型情報処理装置。
（３）上記電子カメラは、少なくともレンズと、撮像素子と、上記撮像素子から得られる画像データを出力するケーブルとからなることを特徴とする（１）に記載の携帯型情報処理装置。
（４）上記電子カメラは更に、上記取付凹部に設けられたコネクタと接続されるコネクタを上記ケーブルの一端に有し、上記電子カメラを着脱自在に取り付けられるようにしたことを特徴とする（３）に記載の携帯型情報処理装置。
（５）上記取付凹部は上記電子カメラの光軸が上記上パネルの正面に垂直となる状態において、上記電子カメラの正面と上記上パネルの正面とが略面一となる位置に上記電子カメラを保持することを特徴とする（１）に記載の携帯型情報処理装置。
（６）上記上パネルは、上記下パネルに回動可能に取り付けられ、上記上パネルと上記下パネルとが開閉自在な構造であることを特徴とする（１）に記載の携帯型情報処理装置。
【００１２】
このような構成にした携帯型情報処理装置は、装置自体の携帯の邪魔にならない位置に電子カメラを取り付けることができる。
【発明の効果】
【００１３】
以上説明したように、本発明に係る携帯型情報処理装置は、ＣＣＤカメラの撮像範囲を自由に変更できるように筺体に埋め込んだ構造にしたことにより、設置の手間がかからず設置場所をとることがなく、かつ、操作者方向の撮像範囲を容易に変更できると共に、携帯性及び操作性を向上させることができると云う効果がある。
【発明を実施するための最良の形態】
【００１４】
次に、本発明に係る撮像装置を備えた携帯型情報処理装置、即ち、携帯型パーソナルコンピュータやＰＤＡ（パーソナル・デジタル・アシスト）の実施の形態について図を参照して以下詳細に説明する。
【実施例１】
【００１５】
先ず、本発明に関わる第１実施の形態の携帯型パーソナルコンピュータ１０について、図を参照して説明する。
【００１６】
携帯型パーソナルコンピュータ１０は、図１に示すように、四角い薄型形状に形成された筺体からなる本体部１１と、本体部１１と略同じ大きさの筺体からなり、開閉自在な本体部１１に取り付けられ、グラフィック、文字等を表示するディスプレイパネル部１４とから構成されている。使用時には図１に示すように、ディスプレイパネル部１４を上方向に回動させて開き、不使用時には、ディスプレイパネル部１４を下方向に回動して閉じることができる構造になっている。
【００１７】
本体部１１は、即ち、下パネルであり、ユーザーによって操作されるキーボード１２とトラックパッド１３等の操作部が設けられている。これらのキーボード１２やトラックパッド１３が操作されることにより、データの入出力が行われる。また、図示していないが、本体部１１の内部には、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等を搭載した回路基板が組み込まれている。
【００１８】
ディスプレイパネル部１４は、即ち、上パネルであり、グラフィックや文字等を画面表示可能なディスプレイ部である液晶ディスプレイ１５が設けられ、液晶ディスプレイ１５の上方中央位置には、後述するＣＣＤカメラ１８が摺動自在に取り付けられる取付溝１６が形成されている。
【００１９】
取付溝１６は、即ち、取付凹部であり、ディスプレイパネル部１４の上方中央位置の一部を略Ｕ字状に切り欠いた構造となっている。ＣＣＤカメラ１８は取付溝１６に設けられた支持部材１７によって支持されている。
【００２０】
支持部材１７は、即ち、曲面支持部であり、図２に示すように、ＣＣＤカメラ１８の回動球２５の曲面と同一の曲面を有したカップ状の支持曲面１７ｂを有している。この支持部材１７は回動球２５の少なくとも２つの支持曲面１７ｂを有し、これらの支持曲面１７ｂによって挟持するようにして回動自在に支持する。従って、支持曲面１７ｂは回動球２５を回動可能に支持することができるのである。尚、支持曲面１７ｂの数はこれに限定されない。
【００２１】
ＣＣＤカメラ１８は、即ち、電子カメラであり、図２及び図３に示すように、略球形状に形成されたカメラ本体部１９と、カメラ本体部１９から筒状に突出形成されたレンズ部２０と、カメラ本体部１９の一部と連結した回動軸２４と、回動軸２４の他端側に連結した球体からなる回動球２５とから構成されている。カメラ本体部１９には携帯型パーソナルコンピュータ１０内部の回路基板（図示せず）に接続されるケーブル２２が設けられている。このケーブル２２は、回動軸２４の内部及び回動球２５を介してパーソナルコンピュータ１０内部の回路基板に接続する構造にしても良い。
【００２２】
カメラ本体部１９には略球形状に形成した内部にはＣＣＤ２１及び図示していない回路基板等が設けられている。カメラ本体部１９を回動させることにより、ＣＣＤ２１は、レンズ部２０を介して所定範囲の撮像を行うことができる。撮像された画像データはケーブル２２を介して、パーソナルコンピュータ１０に取り込まれ、様々なアプリケーションを実行するために処理される。
【００２３】
レンズ部２０は、カメラ本体部１９に筒状に一体形成されている。レンズ部２０には、図３に示すように、レンズ２３が設けられており、撮像画像はレンズ２３を介して撮像素子であるＣＣＤ２１（図２参照）に結像される。
【００２４】
回動軸２４は、一端にカメラ本体部１９が連結して固定され、他端に回動球２５が連結して設けられている。また回動球２５は、カメラ本体部１９より小さな球状筐体に形成されている。この回動球２５は、パソコン１０の筺体の一部に設けた支持部材１７（図２参照）により回動自在に支持された構造となっている。
【００２５】
このように所定の長さの回動軸２４を設けた構造にすることにより、カメラ本体部１９に力が加わって方向が変えられると、回動軸２４から回動球２５に回転力が伝わる。即ち、回動球２５を中心として、カメラ本体部１９は向きを変えることができ、撮像範囲を適宜変更することができる。回転力が加えられていない時には、回動球２５が支持部材１７内で回動することなく、カメラ本体部１９の撮像方向を固定支持して維持する。
【００２６】
このように回動球２５はカメラ本体部１９より小さな球形状であっても、支持部材１７の支持曲面１７ｂを回動球２５の曲面と同一となし、接触面積を広くして摩擦係数を上げることにより、安定かつ確実にカメラ本体部１９を固定することができる構造となっている。
【００２７】
従って、カメラ本体部１９に方向を変える力が加えられた時のみ、回動球２５は支持部材１７内で回動でき、カメラ本体部１９の方向を変える力が加えられていない時は、カメラ本体部１９の自重で回動球２５が回動することなく、カメラ本体部１９の方向を維持する。このようにして、カメラ本体部１９は、所定の角度内で自由自在に向きを変え、所望の方向に設定することができる。
【００２８】
ケーブル２２は、図２に示すように、カメラ本体部１９から引き出され、図１に示すパーソナルコンピュータ１０内部の回路基板に接続される。ＣＣＤ２１で結像された画像は、ケーブル２２を介してパーソナルコンピュータ１０に取り込むことができる。
【００２９】
次に、このような構成からなる第１実施例の携帯型パソコン１０の使用方法を説明する。
【００３０】
先ず、ディスプレイパネル部１４を上方向に開いて画像表示が見える状態にする。そして、画像をパーソナルコンピュータ１０に取り込む時には、操作者は、ＣＣＤカメラ１８のカメラ本体部１９の撮像方向を決めて撮像範囲を設定する。カメラ本体部１９の撮像方向は、上下左右に変えることができるので、正面、即ち、パーソナルコンピュータ１０の操作者のみならず、周囲の画像も撮像することができる。
【００３１】
そしてキーボード１２やトラックパッド１３を操作して、ＣＣＤ２１で所望の画像を撮像し、画像データとしてパーソナルコンピュータ１０に取り込む。必要であれば、画像データをパーソナルコンピュータ１０に内蔵されているハードディスク等の記憶媒体に記憶したり、図示しないプリンタで画像を印刷することができる。
【００３２】
また、パーソナルコンピュータ１０を通信回線に接続すれば、画像を通信相手先のパーソナルコンピュータ等に送ることができる。受信側では、送られてきた画像データに基づいて、画像をディスプレイモニタにリアルタイムで表示することができるので、テレビ会議システム等に活用することができる。
【００３３】
このように、ＣＣＤカメラ１８を、ディスプレイパネル部１４に組み込んで一体に形成した構造としたことにより、ＣＣＤカメラ１８の設置場所をパーソナルコンピュータ１０またはその周辺に探す必要がなく、また、ＣＣＤカメラ１８とパーソナルコンピュータ１０を接続する外部配線を考慮する必要がなくなる。従って、携帯性及び汎用性を向上させることができると共に、設置に手間がかからずスペースをとらない構造となる。
【実施例２】
【００３４】
次に、本発明に係る第２実施の形態の携帯型パーソナルコンピュータ１０Ａについて説明する。
【００３５】
携帯型パーソナルコンピュータ１０Ａは、図４に示すように、第１実施の形態の携帯型パーソナルコンピュータ１０（図１参照）と同様、下パネルである本体部１１Ａと、画面表示する上パネルであるディスプレイパネル部１４Ａとから構成されている。ディスプレイパネル部１４Ａを形成する筺体の上部中央位置にＣＣＤカメラ１８Ａを収容できる略四角形状の取付溝１６Ａが設けられている。
【００３６】
本体部１１Ａは、入力操作を行うキーボード１２Ａとトラックパッド１３Ａとを設けた構造となっており、キーボード１２Ａやトラックパッド１３Ａを操作して、所望のデータを入出力することができる。
【００３７】
ディスプレイパネル部１４Ａには、グラフィックや文字等を表示可能な液晶ディスプレイ１５Ａが設けられ、液晶ディスプレイ１５Ａの上方中央位置に取付凹部である取付溝１６Ａが形成されている。
【００３８】
この取付溝１６Ａは、図５に示すように、電子カメラであるＣＣＤカメラ１８Ａの球面１８ｂ形状をした両側面を、同じ凹球面形状に形成された支持曲面１７ｃを有する第一及び第二の支持部材１７Ａ、１７Ａにより挟持する構造となっている。即ち、取付溝１６Ａ内において、ＣＣＤカメラ１８Ａが第一及び第二の支持部材１７Ａ、１７Ａによって支持されている。
この取付凹部である取付溝１６Ａは、図６に示すように、電子カメラであるＣＣＤカメラ１８Ａの光軸が上パネルであるディスプレイパネル部１４Ａの正面に垂直となる状態において、ＣＣＤカメラの正面と上パネルであるディスプレイパネル部１４Ａの正面とが略面一となる位置にＣＣＤカメラ１８Ａを保持している。
【００３９】
ＣＣＤカメラ１８Ａは、図６及び図７に示すように、カメラ本体部１９Ａと、レンズ部２０Ａとから構成され、カメラ本体部１９Ａには、パーソナルコンピュータ１０Ａと接続されるためのケーブル２２Ａが設けられている。
【００４０】
カメラ本体部１９Ａは、略球状に形成され、レンズ部２０Ａと一体となって形成されている。カメラ本体部１９Ａの内部には受光素子であるＣＣＤ（固体撮像素子）２１Ａや図示しない電気回路等が設けられている。ＣＣＤ２１Ａによって撮像した画像は、ケーブル２２Ａを介して、図示しない画像データとしてパーソナルコンピュータ１０Ａに取り込まれる。
【００４１】
レンズ部２０Ａは、カメラ本体部１９Ａに筒状に一体形成されている。レンズ部２０Ａには、図７に示すように、レンズ２３Ａが設けられ、画像は、レンズ２３Ａを介してＣＣＤ２１Ａ（図６参照）に結像する構造になっている。
【００４２】
第一及び第二の支持部材１７Ａ、１７Ａは、図５、図６及び図７に示すように、カメラ本体部１９Ａの両側面の球面１８ｂと同じ曲面の凹面である曲面支持部、即ち、支持曲面１７ｃを有し、カメラ本体部１９Ａを回動自在に保持できるように構成されている。このような構成により支持されたＣＣＤカメラ１８Ａは、撮像範囲を自由な方向に変更できるものである。
【００４３】
尚、ＣＣＤカメラ１８Ａは、パーソナルコンピュータ１０Ａと着脱自在な構造としても良い。また、第一及び第二の支持部材１７Ａ、１７ＡはＣＣＤカメラ１８Ａの左右両側面に限らず、上下の両側面を挟持するようにしても良く、更に、左右上下の四面方向から挟持するようにしても良いことは勿論のことである。
【実施例３】
【００４４】
次に、本発明に係る第３実施の形態の携帯型パーソナルコンピュータ１０Ｂについて説明する。
【００４５】
携帯型パーソナルコンピュータ１０Ｂは、ＣＣＤカメラ１８Ｂが容易に着脱自在である構造となっており、上記第１及び第２実施の形態と同様、図８に示すように、薄型の四角形状に形成された本体部１１Ｂと、本体部１１Ｂと開閉自在に取り付けられたグラフィック、文字等を表示するディスプレイパネル部１４Ｂとから構成される。図９に示すようにディスプレイパネル部１４Ｂを形成する筺体の上部中央位置に前面からＣＣＤカメラ１８Ｂを着脱自在に収容できる大きさに開口した取付凹部である取付溝部１６Ｂが設けられている。この取付溝１６Ｂは、奥行方向に序々に狭くなるＶ字型形状の溝となっている。
【００４６】
本体部１１Ｂには、上記第１及び第２実施の形態と同様に、図８に示すように、キーボード１２Ｂとトラックパッド１３Ｂとが設けられており、キーボード１２Ｂやトラックパッド１３Ｂを操作して、所望のデータを入出力することができる。
【００４７】
ディスプレイパネル部１４Ｂには、上記第１及び第２実施の形態と同様に、グラフィックや文字等を表示可能な液晶ディスプレイ１５Ｂが設けられている。液晶ディスプレイ１５Ｂの上方中央部に上記説明した取付凹部である取付溝１６Ｂが設けられている。
【００４８】
取付溝１６Ｂに着脱自在に装着されるＣＣＤカメラ１８Ｂは、図１０に示すように、カメラ本体部１９Ｂと、レンズ部２０Ｂと、ケーブル２２Ｂと、コネクタ部２７とから構成されている。
【００４９】
カメラ本体部１９Ｂは、略球状に形成され、レンズ部２０Ｂと一体となって形成されている。カメラ本体部１９Ｂの内部にはＣＣＤ（固体撮像素子）２１Ｂや図示しない電気回路等が設けられている。ＣＣＤ２１Ｂによって撮像した画像は、ケーブル２２Ｂ、コネクタ部２７を介して、パーソナルコンピュータ１０Ａに取り込まれる。
【００５０】
レンズ部２０Ｂは、カメラ本体部１９Ｂに筒状に一体形成され、図１２に示すように、このレンズ部２０Ｂにはレンズ２３Ｂが設けられ、画像は、レンズ２３Ｂを介してＣＣＤ２１Ｂ（図１０参照）に結像する。
【００５１】
ケーブル２２Ｂは、カメラ本体部１９Ｂに取り付けられ、このケーブル２２Ｂの先端にはコネクタ部２７が設けられている。このコネクタ部２７は、ＣＣＤカメラ１８Ｂを取付溝１６Ｂ内に装着した時に、取付溝１６Ｂ側のコネクタ部２８に接続されて電気的接続を得る構造になっている。
【００５２】
図１１及び図１２に示すように、取付溝１６Ｂの大きさは、ＣＣＤカメラ１８Ｂを着脱できる大きさになっている。取付溝１６ＢのＶ字状の溝の側面には、球状のカメラ本体部１９Ｂと同一曲面に形成された支持曲面２９が設けられている。Ｖ字状の溝の一番奥には、ＣＣＤカメラ１８Ｂのコネクタ部２７と接続されるコネクタ部２８が設けられている。取付溝１６Ｂの入口付近には、球状のカメラ本体部１９Ｂを溝内に弾性的に保持する一対のストッパ３０が設けられている。
【００５３】
このストッパ３０は、ばね３１で取付溝の内側（矢印Ｆ方向）に付勢されている。即ち、ＣＣＤカメラ１８Ｂを取付溝１６Ｂに取り付ける時には、ストッパ３０は、それぞれ外側（矢印Ｆの反対方向）に開き、ＣＣＤカメラ１８Ｂが取付溝１６Ｂ内に挿入された後はＣＣＤカメラ１８Ｂが取付溝１６Ｂ内に弾性的に保持されるようになっている。また取付溝１６Ｂ内部のコネクタ部２８にＣＣＤカメラ１８Ｂのコネクタ部２７を接続することにより電気的接続が得られる。ＣＣＤカメラ１８Ｂの球面は支持曲面２９によって支持されているので、自由自在に撮像範囲を変更できるのである。
【００５４】
このような構造をした取付溝１６Ｂをパネル部１４Ｂの正面から見た時、図１１に示すように、縦方向の長さＬは、カメラ本体部１９Ｂの直径Ｒより若干長く、カメラ本体部１９Ｂが取付溝内で自由に摺動できるようになっている。従って、図１３（Ａ）、（Ｂ）に示すように、撮像範囲は、所定角度をもって自由に変更できる。
【００５５】
尚、上記第１、第２及び第３実施の形態では、撮像機器であるＣＣＤカメラ１８、１８Ａ、１８Ｂを液晶ディスプレイ１５、１５Ａ、１５Ｂの上方中央位置に取り付けたが、操作者を含む所望の範囲の画像を撮像できる位置であれば、携帯型パーソナルコンピュータ１１、１１Ａ、１１Ｂのいずれの位置に取り付けても良い。
【００５６】
また、筺体の一部に埋め込んだ状態で操作者方向を、球形状を利用して自由に撮像方向を変更できるようにした構造であれば、上記第１、第２及び第３実施例に限定されないことは勿論のことである。
【図面の簡単な説明】
【００５７】
【図１】本発明の第１実施の形態に係るＣＣＤカメラを備えた携帯型パーソナルコンピュータの略示的な全体斜視図である。
【図２】同ＣＣＤカメラの略示的な平面図である。
【図３】同ＣＣＤカメラの略示的な全体斜視図である。
【図４】本発明の第２実施の形態に係るＣＣＤカメラを備えた携帯型パーソナルコンピュータの略示的な全体斜視図である。
【図５】同ＣＣＤカメラの取付構造を示した略示的な斜視図である。
【図６】同ＣＣＤカメラの取付構造を示した略示的な平面図である。
【図７】同ＣＣＤカメラの取付構造を示した略示的な正面図である。
【図８】本発明の第３実施の形態に係るＣＣＤカメラを備えた携帯型パーソナルコンピュータの略示的な全体斜視図である。
【図９】同携帯型パーソナルコンピュータの筺体の一部に設けたＣＣＤカメラを取り付ける取付溝を示す略示的な要部斜視図である。
【図１０】同ＣＣＤカメラを示す略示的な平面図である。
【図１１】同ＣＣＤカメラを携帯型パーソナルコンピュータの筺体の一部に設けた取付溝に取り付けた状態を正面から見た説明図である。
【図１２】同ＣＣＤカメラを携帯型パーソナルコンピュータの筺体の一部に設けた取付溝に取り付けた状態を平面から見た説明図である。
【図１３】同撮像機器を電子機器の筺体の一部に設けた取付溝内で摺動自在に動かした状態を示す説明図である。
【図１４】従来技術におけるパーソナルコンピュータに接続して使用するＣＣＤカメラの説明図である。
【符号の説明】
【００５８】
１０、１０Ａ、１０Ｂ；携帯型情報処理装置（携帯型パーソナルコンピュータ）、１１、１１Ａ、１１Ｂ；本体部、１２、１２Ａ、１２Ｂ；キーボード、１３、１３Ａ、１３Ｂ；トラックパッド、１４、１４Ａ、１４Ｂ；パネル部、１５、１５Ａ、１５Ｂ；ディスプレイ、１６、１６Ａ、１６Ｂ；取付溝、１７、１７Ａ；支持部材、１７ｂ；支持曲面、１７ｃ；支持曲面、１８、１８Ａ、１８Ｂ；電子カメラ、１９、１９Ａ、１９Ｂ；カメラ本体部、２０、２０Ａ、２０Ｂ；レンズ部、２１、２１Ａ、２１Ｂ；ＣＣＤ、２２、２２Ａ、２２Ｂ；ケーブル２３、２３Ａ、２３Ｂ；レンズ、２４；回動軸、２５；回動球、２７；接続端子、２８；端子受部、２９；側面、３０；ストッパ、３１；ばね
【図１】
2006262534.tif 000003
【図２】
2006262534.tif 000004
【図３】
2006262534.tif 000005
【図４】
2006262534.tif 000006
【図５】
2006262534.tif 000007
【図６】
2006262534.tif 000008
【図７】
2006262534.tif 000009
【図８】
2006262534.tif 000010
【図９】
2006262534.tif 000011
【図１０】
2006262534.tif 000012
【図１１】
2006262534.tif 000013
【図１２】
2006262534.tif 000014
【図１３】
2006262534.tif 000015
【図１４】
2006262534.tif 000016